(57)【要約】【構成】  印鑑において、印面と、この印面より面積の小さな天面と、印面と天面のそれぞれの外周縁をむすぶ錐状の側部とを備えている。天面の形状は、略台形状または略二等辺三角形状が好ましい。【効果】  指がかりが良くまっすぐに押せるので、適度な力で正しく押印できる。また印影を傾かずに押すことが出来る。【選択図】    図１
2017132189.tif 000002
【特許請求の範囲】
【請求項１】
印面と、該印面より面積の小さな天面と、印面と天面のそれぞれの外周縁をむすぶ錐状の側部とを備えている、印鑑。
【請求項２】
前記天面が、略多角形状であることを特徴とする、請求項１の印鑑。
【請求項３】
前記天面が、略台形状または略二等辺三角形状であること特徴とする、請求項２の印鑑。
【発明の詳細な説明】
【技術分野】
【０００１】
この発明は、印鑑の形状に関する。
【背景技術】
【０００２】
印鑑の形状は、いわゆる寸胴タイプと、くびれがある天丸タイプのものがほとんどである。天丸タイプは、寸胴タイプと比較すると指がかりが良いが、指がかりを考慮したものとして、そのほか持ち手にスプリングを内蔵させたもの（特開2009-298147）や、押圧保持具を用いたもの（特開2000-025318）などが見受けられる。そのほか、印影の方向を定めるためにアタリを設けた印鑑も多い。
【先行技術文献】
【特許文献】
【０００３】
【特許文献１】特開２０００−２５３１８
【特許文献１】特開２００９−２９８１４７
【発明の概要】
【発明が解決しようとする課題】
【０００４】
しかしながらこれら従来の印鑑は、適度な力をまっすぐに加えることが難しく、また印影を傾いた向きで押すことが多かった。印影は、朱肉の濃さが適度でかつはっきりと押されていることが求められる。押印時の力がまっすぐ均一に印面に加わらなければ、印影が欠けたり濃淡がムラになったりする。また印面が用紙上で滑って印影がにじんでしまうこともある。さらに、印影が上下逆になることはもちろんのこと、斜めに押印されることも禁物である。
この発明の課題は、シンプルな形状でありながら指がかりをよくして、均一な力を加えやすい印鑑を提供することにある。また印鑑の垂直を取り易くし、印影が欠けたり濃淡が生じることを防止する。さらに、印影が斜めにならずに正しい向きに容易に押せる、新しい形状の印鑑を提供することにある。
【課題を解決するための手段】
【０００５】
この発明の印鑑は、印面と、該印面より面積の小さな天面と、印面と天面のそれぞれの外周縁をむすぶ錐状の側部とを備えている。
天面の面積に対して印面の面積を大きくすることで、底面へ向けて錐状に広がる形状となる。そのため印鑑の重心が低くなり、印鑑が垂下するので、印鑑の垂直が取り易くなる。そのため、指からの力をそのまま下方に加えれば良い。
また、下方が広がる錐状の側部に対して指で下方へ圧を加えることになるので指がかりが良く、印面方向に適度な力を入れやすくできる。
その結果、印影が欠けたり濃淡が生じたりせず、正しく押印することができる。
【０００６】
好ましくは、前記天面を、略多角形状とする。多角形状の角やエッジの部分で指からの圧が加わり易くなり、また滑りにくく持ちやすくなる。
【０００７】
また好ましくは、前記天面を、略台形状または略二等辺三角形状とする。
天面の形状を上下の識別の出来る図形とし、これを印面の上下と対応させる。すなわち印面に彫刻された文字の上側と天面の図形の上側とを対応させれば、印面の上下を迷うこと無く押印でき、印影が上下逆になることが無い。そのため持ち手などに、印面の上下を示すいわゆるアタリなどを設ける必要が無い。また、略台形状の平行な辺や略二等辺三角形状の底辺を用紙の罫線などに合わせれば、傾いて捺印することも無くなる。
【図面の簡単な説明】
【０００８】
【図１】実施例の印鑑の斜視図
【図２】実施例の印鑑の平面図
【図３】実施例の印鑑の濃淡つきの平面図
【図４】実施例の印鑑の濃淡つきの正面図
【図５】別の実施例の印鑑の平面図
【図６】さらに別の実施例の印鑑の平面図
【図７】実施例の印鑑を用いて押印するときの状態を示す図
【図８】実施例の印鑑に作用する力を説明する図
【図９】天面の形状毎の使い勝手を説明する図
【発明を実施するための形態】
【０００９】
以下に、本願発明の最適実施例を示す。本願発明の実施に際しては、当業者の常識及び先行技術の開示に従い、実施例を適宜に変更できる。
【実施例】
【００１０】
実施例の印鑑２を、図１に示す。図において、４は任意の文字（実施例では「田中」）を彫刻した印面、６は天面、８は持ち手である。実施例では、天面６は印面４と平行な略台形状の面であり、台形の角にＲをつけて面取りして略台形状にしてある。１０，１２，１４は、略台形状の辺（エッジ）である。印鑑２は実印を考慮して丸印としたが、角印であってももちろん良い。なお、実施例では印面４と天面６とは平行な面であるとしたが、必ずしも平行でなくても良い。
【００１１】
図２に示すように、印面４の面積よりも天面６の面積は小さく、天面６の略台形状の中心（図形の重心）と印面４の中心とはほぼ一致している。図３にＣＧにより作成した平面図を、図４にはＣＧにより作成した正面図を示す。図３、図４では、濃淡により持ち手８の形状を示している。これらの図から、天面のエッジ１０,１２，１４や略台形状のＲをつけた部分及び持ち手８の錐状の形状が分かる。持ち手８は、上部にＲがついており（略台形状の角につけたＲの下方）、さらに印面４側へ向かって広がった形状であるため、滑りにくく力を入れやすい。
【００１２】
図５は、天面２６の形状を略二等辺三角形状にした印鑑２０の平面図であり、図６は角印の天面３６を略台形状とした印鑑３０の平面図である。印鑑２０と３０の持ち手２８，３８はそれぞれ、天面２６のエッジ（２２，２３，２３）、天面３６のエッジ（３１，３２，３３）と、天面につけたＲとにより、指がかりが良く持ちやすい。そして図２、図５及び図６に示すように、天面から印面に向かって持ち手が錐状に広がっており、下方に向けて垂直で均一な力を加えやすい。
【００１３】
図７に、印鑑２を押す場合の状態を示す。略台形状の天面６の面とそのエッジ１０，１２，１４や角とで指へのかかりが良く、指からの圧を加え易い。また持ち手８の形状は手になじみ易く、安定して持つことができる。持ち手８は錐状であり、円筒形の場合などと比べて、下方への力を加えやすい。さらに印鑑２の重心は低く印鑑が自然に垂下して用紙に垂直に接することを容易にするので、印面が傾いて用紙に接することも無い。
【００１４】
印鑑の持ち方は人によって様々であるが、図８に印鑑に作用する力の一例を示す。通常、親指、人差し指、中指とで持ち手８を挟み込んで安定させる。図８において、親指をあてる位置を破線で示し、人差し指からの押力をＰi、中指からの押力をＰmとした。力のかかる位置は、指の腹を使うか側面を使うかなどにより異なる。また指の一部を天面６やその角などに当てることもある。実施例の印鑑によれば、通常は印鑑２の重心が指からの力よりも低い位置にあるので、その持ち方に関わらず、用紙に対して印面の垂直を取りやすく、さらに垂直にかつ均一に押圧できる。
【００１５】
実施例の印鑑２，２０，３０の天面の形状は略台形状、略二等辺三角形状であり、これら図形の上下をそれぞれ印影の文字の上下に対応させるようにすると、印面の上下を迷うこと無く押印できる。例えば図１に示すように、印鑑２の天面６の略台形状の短辺（エッジ１２）に対応する側に「田中」の上側がくるように印面を彫る。そうすると、略台形状の短辺側（エッジ１２）を上にして印鑑を押せば、印影の上下が正しく押印されることになる。略二等辺三角形状の天面２６の場合も同様に、頂点２５側に「田中」の上側がくるように印面を彫ればよい。その結果、押す度に印鑑の上下に迷ったり、印鑑をひっくり返して印面の上下を確認したりする必要が無くなり、また上側を示すアタリなどのしるしを設ける必要も無くなる。
【００１６】
また、略台形状の平行する二辺を、用紙の罫線や用紙の上下の辺と平行になるように位置決めすれば、印影を傾かずにまっすぐに押すことが容易になる。略二等辺三角形状の場合も同様に、その底辺（エッジ２２）を用紙の罫線などに合わせることができる。
【００１７】
実施例では、天面の形状を略台形状及び略二等辺三角形状としたが、そのほか、天面の形状を異ならせた場合の使い勝手を、図９に示す。図９において、印面は全て丸印とし、天面の形状を８種類示す。なお右端の弾丸型は、印鑑自体が弾丸型の形状であり天面の面積は極小である。また印影を傾かずにまっすぐに押す場合の押し易さを示すために、用紙の罫線を示した。印影をまっすぐに正しく押すために、天面の図形の一辺を、用紙の罫線と平行に置けば良い。
【００１８】
使い勝手として、力の入れ易さ（指がかりの良さ）と印影の向きの決め易さとの２点を挙げた。印影の向きを正しく押すためには、印影の上下を間違うことが無いことと、印影を傾かずにまっすぐに押せることとを含んでいる。図９によれば、実施例の略台形状と略二等辺三角形状とが最も使い勝手が良いことが分かる。略台形状の場合はその２辺を用紙の罫線に平行に置くことで、略二等辺三角形状の場合はその底辺を用紙の罫線に平行に置くことで、印影が傾かずにまっすぐに押せる。また略台形状の短辺あるいは略二等辺三角形状の頂点が印影の上側であることから、上下を迷わずに押すことが出来る。
【００１９】
略正方形状と略長方形状の場合は、これらの平行する２辺が罫線と平行になるように押印すれば、印影を傾かずに押せるが、上下逆に押す可能性はある。またハート型の場合、略台形状、略二等辺三角形状に比べて罫線との平行は取りにくいが、印面の上下は分かり易い。天面が円と楕円の場合は角のＲがないので、持ち手の形状は、力の掛かりが多少劣るものとなる。また印影をまっすぐに押すことは難しい。
【００２０】
印鑑の材質（印材）は任意であるが、アルミニウム、チタン、ステンレスなどの金属のほか、黒檀やツゲなどの硬質木材を用いる。特に実印の場合は、耐久性が求められるためである。さらに多様な嗜好に応じて、黒水牛などの角印材のほか、象牙などの牙印材、紫水晶などの石印材を用いてもよい。
【００２１】
そして実施例の印鑑は、なめらかで美しく精密な形状を実現するために、マシニングセンタを用いた切削加工により製造した。正確な切削加工をするために、５軸のマシニングセンタによる加工が好ましい。３D-CADデータを基に３D-CAMにより工具の選定、主軸回転数、切削速度を決定する。そして金属などのブロックを切り出してチャッキングして切削し、５軸マシニングセンタにより、精度の高い形状を実現する。
【００２２】
アルミニウムを用いる場合、切削の後、アルマイト加工を施して防腐性、表面硬度、審美性などを向上させる。金属や樹脂を射出成型したり鋳造や鍛造によっても製造できるが、精密な形状を実現するためには、マシニングセンタによる切削が好ましい。
【００２３】
実施例の印鑑によれば、従来の印鑑に比べて力の掛かりが良く、均一でまっすぐに力を加えることが可能になる。特に円筒形の印鑑に比べて指が滑ることが無く、加えた力が効率的に印面に加わる。そして印影はカケが無いことはもちろんのこと、濃淡も無く正しく押すことが可能になる、これは、特に実印などの場合に重要である。
【００２４】
実施例で示した印鑑は、その重心が低く、しかも金属の場合はずっしりとした重量があり、紙に対して垂直に押圧しやすい。さらに天面の図形の辺を紙に対して平行にすることで、印影をまっすぐに正しく押せる。また天面の図形の上下を見れば、印面の上下を確かめること無く上下を正しく押せる。
【００２５】
このように、実施例の印鑑により、従来の印鑑に比べて適度な力で綺麗に捺印することを可能にした。印材は金属や硬質材木など硬度の高いものを用いたので耐久性が有り、しかも精密な仕上げを施すので、飽きの来ない美観を持たせることができる。これらは実印の場合に特に重要である。
【符号の説明】
【００２６】
２, ２０，３０                印鑑
４，２４，３４                印面
６，２６，３６                天面
８，２８，３８                持ち手
１０，１２，１４              略台形状のエッジ
２１，２２，２３              略二等辺三角形状のエッジ
２５                          略二等辺三角形状の頂点
３１，３２，３３              別の実施例の略台形状のエッジ
【図１】
2017132189.tif 000003
【図２】
2017132189.tif 000004
【図３】
2017132189.tif 000005
【図４】
2017132189.tif 000006
【図５】
2017132189.tif 000007
【図６】
2017132189.tif 000008
【図７】
2017132189.tif 000009
【図８】
2017132189.tif 000010
【図９】
2017132189.tif 000011
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
印面と、該印面より面積の小さな天面と、該印面と該天面のそれぞれの外周縁をむすぶ錐状の側部とを備え、かつ該印面の形状と該天面の形状とが異なる印鑑。
【請求項２】
前記天面が、略多角形状であることを特徴とする、請求項１の印鑑。
【請求項３】
前記天面が、略台形状または略二等辺三角形状であること特徴とする、請求項２の印鑑。
【手続補正２】
【補正対象書類名】明細書
【補正対象項目名】０００５
【補正方法】変更
【補正の内容】
【０００５】
この発明の印鑑は、印面と、該印面より面積の小さな天面と、該印面と該天面のそれぞれの外周縁をむすぶ錐状の側部とを備え、かつ前記印面の形状と前記天面の形状とが異なっている。
天面の面積に対して印面の面積を大きくすることで、底面へ向けて錐状に広がる形状となる。そのため印鑑の重心が低くなり、印鑑が垂下するので、印鑑の垂直が取り易くなる。そのため、指からの力をそのまま下方に加えれば良い。
また、下方が広がる錐状の側部に対して指で下方へ圧を加えることになるので指がかりが良く、印面方向に適度な力を入れやすくできる。
その結果、印影が欠けたり濃淡が生じたりせず、正しく押印することができる。
【手続補正３】
【補正対象書類名】図面
【補正対象項目名】図６
【補正方法】変更
【補正の内容】
【図６】
2017132189.tif 000012